(57)【特許請求の範囲】
【請求項１】
無線通信システムにおける端末がログされた測定を報告する方法において、
ＲＲＣ（Ｒａｄｉｏ  Ｒｅｓｏｕｒｃｅ  Ｃｏｎｔｒｏｌ）連結モードの端末が、基地局からＭＤＴ（Ｍｉｎｉｍｉｚａｔｉｏｎ  ｏｆ  Ｄｒｉｖｅ  Ｔｅｓｔｓ）設定を受信するステップ；
前記端末が、前記ＭＤＴ設定を受信して有効性タイマを開始するステップ；
前記有効性タイマが動作中、ＲＲＣアイドルモードの前記端末が、ログされた測定を集めるために前記ＭＤＴ設定に基づいて測定をロギングするステップ；及び、
前記有効性タイマが満了される時、前記端末が、前記ＭＤＴ設定を廃棄するステップ；
を含むことを特徴とする方法。
【請求項２】
前記ＭＤＴ設定は、前記有効性タイマのタイマ値を含むことを特徴とする請求項１に記載の方法。
【請求項３】
前記ＭＤＴ測定は、測定結果を格納するための周期を指示するロギング周期を含むことを特徴とする請求項２に記載の方法。
【請求項４】
前記有効性タイマが満了される時、前記測定をログすることを中断し、前記ログされた測定を維持するステップをさらに含むことを特徴とする請求項１に記載の方法。
【請求項５】
前記端末が前記基地局に前記ログされた測定の可用性を指示するロギング指示子を送信するステップをさらに含むことを特徴とする請求項１に記載の方法。
【請求項６】
前記ロギング指示子は、前記ＲＲＣ連結モードの端末により送信されることを特徴とする請求項５に記載の方法。
【請求項７】
前記端末が前記基地局から前記ログされた測定を要求する情報要求を受信するステップ；及び、前記端末が前記基地局に前記ログされた測定を送る情報応答を送信するステップ；をさらに含むことを特徴とする請求項１に記載の方法。
【請求項８】
前記ログされた測定は、少なくとも一つのサービングセルの測定結果と時間情報を含むことを特徴とする請求項７に記載の方法。
【請求項９】
無線通信システムにおけるログされた測定を報告する装置において、
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、
基地局からＭＤＴ（Ｍｉｎｉｍｉｚａｔｉｏｎ  ｏｆ  Ｄｒｉｖｅ  Ｔｅｓｔｓ）設定を受信し、
前記ＭＤＴ設定を受信して有効性タイマを開始し、
前記有効性タイマが動作中、ログされた測定を集めるために前記ＭＤＴ設定に基づいて測定をロギングし、及び
前記有効性タイマが満了される時、前記ＭＤＴ設定を廃棄することを特徴とし、前記装置は、前記無線通信システム内の端末を含む、装置。
【請求項１０】
前記ＭＤＴ設定は、前記有効性タイマのタイマ値を含むことを特徴とする請求項９に記載の装置。
【請求項１１】
前記ＭＤＴ測定は、測定結果を格納するための周期を指示するロギング周期を含むことを特徴とする請求項１０に記載の装置。
【請求項１２】
前記プロセッサは、前記有効性タイマが満了される時、前記測定をログすることを中断し、前記ログされた測定を維持することを特徴とする請求項９に記載の装置。
【請求項１３】
前記プロセッサは、前記基地局に前記ログされた測定の可用性を指示するロギング指示子を送信することを特徴とする請求項９に記載の装置。
【請求項１４】
前記プロセッサは、前記基地局から前記ログされた測定を要求する情報要求を受信し、及び前記基地局に前記ログされた測定を送る情報応答を送信することを特徴とする請求項１３に記載の装置。
【請求項１５】
前記ログされた測定は、少なくとも一つのサービングセルの測定結果と時間情報を含むことを特徴とする請求項１４に記載の装置。
【発明の詳細な説明】
【技術分野】
【０００１】
本発明は、無線通信に関し、より詳しくは、無線通信システムにおけるログされた測定を報告する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８に紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
ＭＤＴ（Ｍｉｎｉｍｉｚａｔｉｏｎ  ｏｆ  Ｄｒｉｖｉｎｇ  Ｔｅｓｔｓ）は、カバレッジ最適化（ｃｏｖｅｒａｇｅ  ｏｐｔｉｍｉｚａｔｉｏｎ）のために事業者が自動車の代わりに端末を用いてテストすることである。カバレッジは、基地局の位置、周辺建物の配置、及びユーザの利用環境によって変わる。従って、事業者は、周期的にドライビングテスト（ｄｒｉｖｉｎｇ  ｔｅｓｔ）をすることが必要であり、多くの費用とリソースが所要される。ＭＤＴは、事業者が端末を用いてカバレッジを測定することである。
【０００４】
ＭＤＴは、ログされた（ｌｏｇｇｅｄ）ＭＤＴと即時（Ｉｍｍｅｄｉａｔｅ）ＭＤＴとに分けることができる。ログされたＭＤＴによると、端末がＭＤＴ測定を実行した後、ログされた測定（ｌｏｇｇｅｄ  ｍｅａｓｕｒｅｍｅｎｔ）を特定時点にネットワークに伝達する。即時ＭＤＴによると、端末は、ＭＤＴ測定を実行した後、報告条件が満たされる時に測定をネットワークに伝達する。ログされたＭＤＴは、ＲＲＣアイドルモードでＭＤＴ測定を実行するが、即時ＭＤＴは、ＲＲＣ連結モードでＭＤＴ測定を実行する。
【０００５】
ログされたＭＤＴ測定の結果であるログされた測定は、実質的に端末には不必要なデータということができる。従って、可用メモリとサービス品質に影響を与えずに端末がログされた測定をネットワークに報告することができる技法が必要である。
【発明の概要】
【発明が解決しようとする課題】
【０００６】
本発明は、無線通信システムにおけるログされた測定を報告する方法及び装置を提供する。
【課題を解決するための手段】
【０００７】
一態様で、無線通信システムにおける端末がログされた測定を報告する方法が提供される。前記方法は、ＲＲＣ（Ｒａｄｉｏ  Ｒｅｓｏｕｒｃｅ  Ｃｏｎｔｒｏｌ）連結モードの端末が基地局からＭＤＴ（Ｍｉｎｉｍｉｚａｔｉｏｎ  ｏｆ  Ｄｒｉｖｅ  Ｔｅｓｔｓ）設定を受信するステップ、前記ＭＤＴ設定を受信して有効性タイマを開始するステップ、前記有効性タイマが動作中、ＲＲＣアイドルモードの端末がログされた測定を集めるために前記ＭＤＴ設定に基づいて測定をロギングするステップ、及び前記有効性タイマが満了される時、前記ＭＤＴ設定を廃棄するステップ、を含む。
【０００８】
前記ＭＤＴ設定は、前記有効性タイマのタイマ値を含む。
【０００９】
前記ＭＤＴ測定は、測定結果を格納するための周期を指示するロギング周期を含む。
【００１０】
前記方法は、前記有効性タイマが満了される時、前記測定をログすることを中断し、前記ログされた測定を維持するステップをさらに含む。
【００１１】
前記方法は、前記端末が前記基地局に前記ログされた測定の可用性を指示するロギング指示子を送信するステップをさらに含む。
【００１２】
前記ロギング指示子は、前記ＲＲＣ連結モードの端末により送信される。
【００１３】
前記方法は、前記端末が前記基地局から前記ログされた測定を要求する情報要求を受信するステップ、及び前記端末が前記基地局に前記ログされた測定を送る情報応答を送信するステップ、をさらに含む。
【００１４】
他の態様で、無線通信システムにおけるログされた測定を報告する装置が提供される。前記装置は、無線信号を送信及び受信するＲＦ（ｒａｄｉｏ  ｆｒｅｑｕｅｎｃｙ）部、及び前記ＲＦ部と連結されるプロセッサを含み、前記プロセッサは、基地局からＭＤＴ（Ｍｉｎｉｍｉｚａｔｉｏｎ  ｏｆ  Ｄｒｉｖｅ  Ｔｅｓｔｓ）設定を受信し、前記ＭＤＴ設定を受信して有効性タイマを開始し、前記有効性タイマが動作中、ログされた測定を集めるために前記ＭＤＴ設定に基づいて測定をロギングし、及び前記有効性タイマが満了される時、前記ＭＤＴ設定を廃棄する。
本明細書は、例えば、以下の項目も提供する。
（項目１）
無線通信システムにおける端末がログされた測定を報告する方法において、
ＲＲＣ（Ｒａｄｉｏ  Ｒｅｓｏｕｒｃｅ  Ｃｏｎｔｒｏｌ）連結モードの端末が基地局からＭＤＴ（Ｍｉｎｉｍｉｚａｔｉｏｎ  ｏｆ  Ｄｒｉｖｅ  Ｔｅｓｔｓ）設定を受信するステップ；
前記ＭＤＴ設定を受信して有効性タイマを開始するステップ；
前記有効性タイマが動作中、ＲＲＣアイドルモードの端末がログされた測定を集めるために前記ＭＤＴ設定に基づいて測定をロギングするステップ；及び、
前記有効性タイマが満了される時、前記ＭＤＴ設定を廃棄するステップ；
を含むことを特徴とする方法。
（項目２）
前記ＭＤＴ設定は、前記有効性タイマのタイマ値を含むことを特徴とする項目１に記載の方法。
（項目３）
前記ＭＤＴ測定は、測定結果を格納するための周期を指示するロギング周期を含むことを特徴とする項目２に記載の方法。
（項目４）
前記有効性タイマが満了される時、前記測定をログすることを中断し、前記ログされた測定を維持するステップをさらに含むことを特徴とする項目１に記載の方法。
（項目５）
前記端末が前記基地局に前記ログされた測定の可用性を指示するロギング指示子を送信するステップをさらに含むことを特徴とする項目１に記載の方法。
（項目６）
前記ロギング指示子は、前記ＲＲＣ連結モードの端末により送信されることを特徴とする項目５に記載の方法。
（項目７）
前記端末が前記基地局から前記ログされた測定を要求する情報要求を受信するステップ；及び、前記端末が前記基地局に前記ログされた測定を送る情報応答を送信するステップ；をさらに含むことを特徴とする項目１に記載の方法。
（項目８）
前記ログされた測定は、少なくとも一つのサービングセルの測定結果と時間情報を含むことを特徴とする項目７に記載の方法。
（項目９）
無線通信システムにおけるログされた測定を報告する装置において、
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、
基地局からＭＤＴ（Ｍｉｎｉｍｉｚａｔｉｏｎ  ｏｆ  Ｄｒｉｖｅ  Ｔｅｓｔｓ）設定を受信し、
前記ＭＤＴ設定を受信して有効性タイマを開始し、
前記有効性タイマが動作中、ログされた測定を集めるために前記ＭＤＴ設定に基づいて測定をロギングし、及び
前記有効性タイマが満了される時、前記ＭＤＴ設定を廃棄することを特徴とする装置。
（項目１０）
前記ＭＤＴ設定は、前記有効性タイマのタイマ値を含むことを特徴とする項目９に記載の装置。
（項目１１）
前記ＭＤＴ測定は、測定結果を格納するための周期を指示するロギング周期を含むことを特徴とする項目１０に記載の装置。
（項目１２）
前記プロセッサは、前記有効性タイマが満了される時、前記測定をログすることを中断し、前記ログされた測定を維持することを特徴とする項目９に記載の装置。
（項目１３）
前記プロセッサは、前記基地局に前記ログされた測定の可用性を指示するロギング指示子を送信することを特徴とする項目９に記載の装置。
（項目１４）
前記プロセッサは、前記基地局から前記ログされた測定を要求する情報要求を受信し、及び前記基地局に前記ログされた測定を送る情報応答を送信することを特徴とする項目１３に記載の装置。
（項目１５）
前記ログされた測定は、少なくとも一つのサービングセルの測定結果と時間情報を含むことを特徴とする項目１４に記載の装置。
【発明の効果】
【００１５】
ＭＤＴをサポートしないネットワークで、端末がＭＤＴ測定を無制限実行し続けることを防止することができる。ＭＤＴ測定による端末のバッテリ消耗を減らし、端末のメモリをより効率的に使用することができる。
【図面の簡単な説明】
【００１６】
【図１】本発明が適用される無線通信システムを示す。
【図２】ユーザ平面に対する無線プロトコル構造を示すブロック図である。
【図３】制御平面に対する無線プロトコル構造を示すブロック図である。
【図４】アイドルモードで端末のセル選択過程を示す例示図である。
【図５】ＲＲＣ連結を確立する過程を示す流れ図である。
【図６】ＲＲＣ連結再設定過程を示す流れ図である。
【図７】端末情報を報告する過程を示す流れ図である。
【図８】ＭＤＴを実行する過程を示す。
【図９】端末がＭＤＴをサポートしないセルにハンドオーバするシナリオを示す。
【図１０】本発明の一実施例に係るログされた測定を報告する方法を示す流れ図である。
【図１１】本発明の一実施例に係るログされた測定を報告する方法を示す流れ図である。
【図１２】本発明の一実施例に係るログされた測定を報告する方法を示す流れ図である。
【図１３】本発明の実施例が具現される無線装置を示すブロック図である。
【発明を実施するための形態】
【００１７】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムと呼ばれることもある。
【００１８】
Ｅ−ＵＴＲＡＮは、端末（Ｕｓｅｒ  Ｅｑｕｉｐｍｅｎｔ；ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ；ＢＳ）２０を含む。端末１０は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１９】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）とＳ１−Ｕを介してＳ−ＧＷ（Ｓｅｒｖｉｎｇ  Ｇａｔｅｗａｙ）と連結される。
【００２０】
ＥＰＣ３０は、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点にするゲートウェイであり、Ｐ−ＧＷは、ＰＤＮを終端点にするゲートウェイである。
【００２１】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を用いた情報送信サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。このために、ＲＲＣ階層は、端末と基地局との間のＲＲＣメッセージを交換する。
【００２２】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。データ平面は、ユーザデータ送信のためのプロトコルスタック（ｐｒｏｔｏｃｏｌ  ｓｔａｃｋ）であり、制御平面は、制御信号送信のためのプロトコルスタックである。
【００２３】
図２及び３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を用いて上位階層に情報送信サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介してデータがどのように、どのような特徴に送信されるかによって分類される。
【００２４】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２５】
ＭＡＣ階層の機能は、論理チャネルとトランスポートチャネルとの間のマッピング及び論理チャネルに属するＭＡＣ  ＳＤＵ（ｓｅｒｖｉｃｅ  ｄａｔａ  ｕｎｉｔ）のトランスポートチャネル上に物理チャネルに提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２６】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ；ＴＭ）、非確認モード（Ｕｎａｃｋｎｏｗｌｅｄｇｅｄ  Ｍｏｄｅ；ＵＭ）、及び確認モード（Ａｃｋｎｏｗｌｅｄｇｅｄ  Ｍｏｄｅ；ＡＭ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２７】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）、及び暗号化（ｃｉｐｈｅｒｉｎｇ）を含む。ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００２８】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連し、論理チャネル、トランスポートチャネル、及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００２９】
ＲＢが設定されるということは、特定サービスを提供するために、無線プロトコル階層及びチャネルの特性を規定し、各々の具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の２つに分けられることができる。ＳＲＢは、制御平面でＲＲＣメッセージを送信する通路として使われ、ＤＲＢは、ユーザ平面でユーザデータを送信する通路として使われる。
【００３０】
端末のＲＲＣ階層とＥ−ＵＴＲＡＮのＲＲＣ階層との間にＲＲＣ連結（ＲＲＣ  Ｃｏｎｎｅｃｔｉｏｎ）が確立されると、端末は、ＲＲＣ連結（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００３１】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または、別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルには、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３２】
トランスポートチャネルの上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３３】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）で構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）で構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために該当サブフレームの特定ＯＦＤＭシンボル（例えば、１番目のＯＦＤＭシンボル）の特定副搬送波を用いることができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３４】
以下、端末のＲＲＣ状態（ＲＲＣ  ｓｔａｔｅ）とＲＲＣ連結方法に対して詳述する。
【００３５】
ＲＲＣ状態とは、端末のＲＲＣ階層がＥ−ＵＴＲＡＮのＲＲＣ階層と論理的連結（ｌｏｇｉｃａｌ  ｃｏｎｎｅｃｔｉｏｎ）されているか否かを意味し、連結されている場合はＲＲＣ連結状態と呼び、連結されていない場合はＲＲＣアイドル状態と呼ぶ。ＲＲＣ連結状態の端末は、ＲＲＣ連結が存在するため、Ｅ−ＵＴＲＡＮは、該当端末の存在をセル単位で把握することができ、従って、端末を効果的に制御することができる。反面に、ＲＲＣアイドル状態の端末は、Ｅ−ＵＴＲＡＮが把握することはできず、セルより大きい地域単位であるトラッキング区域（Ｔｒａｃｋｉｎｇ  Ａｒｅａ）単位にＣＮ（ｃｏｒｅ  ｎｅｔｗｒｏｋ）が管理する。即ち、ＲＲＣアイドル状態の端末は、大きい地域単位に存在可否のみが把握され、音声やデータのような通常の移動通信サービスを受けるためにはＲＲＣ連結状態に移動しなければならない。
【００３６】
ユーザが端末の電源をオンした時、端末は、まず、適切なセルを探索した後、該当セルでＲＲＣアイドル状態状態のままでいる。ＲＲＣアイドル状態の端末は、ＲＲＣ連結を確立する必要がある時になって始めてＲＲＣ連結過程（ＲＲＣ  ｃｏｎｎｅｃｔｉｏｎ  ｐｒｏｃｅｄｕｒｅ）を介してＥ−ＵＴＲＡＮとＲＲＣ連結を確立し、ＲＲＣ連結状態に遷移する。ＲＲＣアイドル状態にあった端末がＲＲＣ連結を確立する必要がある場合は多様であるが、例えば、ユーザの通話試みなどの理由でアップリンクデータ送信が必要であり、或いはＥ−ＵＴＲＡＮからページング（ｐａｇｉｎｇ）メッセージを受信した場合、これに対する応答メッセージ送信などを挙げることができる。
【００３７】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００３８】
ＮＡＳ階層で端末の移動性を管理するためにＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの２つの状態が定義されており、この２つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功的に遂行されると、端末及びＭＭＥはＥＭＭ−ＲＥＧＩＳＴＥＲＥＤ状態になる。
【００３９】
端末とＥＰＣの間のシグナリング連結（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の２つの状態が定義されており、この２つの状態は、端末及びＭＭＥに適用される。ＥＣＭ−ＩＤＬＥ状態の端末がＥ−ＵＴＲＡＮとＲＲＣ連結を確立すると、該当端末はＥＣＭ−ＣＯＮＮＥＣＴＥＤ状態になる。ＥＣＭ−ＩＤＬＥ状態にあるＭＭＥは、Ｅ−ＵＴＲＡＮとＳ１連結（Ｓ１  ｃｏｎｎｅｃｔｉｏｎ）をすると、ＥＣＭ−ＣＯＮＮＥＣＴＥＤ状態になる。端末がＥＣＭ−ＩＤＬＥ状態にある時、Ｅ−ＵＴＲＡＮは端末の背景（ｃｏｎｔｅｘｔ）情報を有していない。従って、ＥＣＭ−ＩＤＬＥ状態の端末は、ネットワークの命令を受ける必要無しにセル選択（ｃｅｌｌ  ｓｅｌｅｃｔｉｏｎ）またはセル再選択（ｒｅｓｅｌｅｃｔｉｏｎ）のような端末ベースの移動性関連手順を実行する。反面、端末がＥＣＭ−ＣＯＮＮＥＣＴＥＤ状態にある時、端末の移動性はネットワークの命令により管理される。ＥＣＭ−ＩＤＬＥ状態で端末の位置がネットワークが知っている位置と異なる場合、端末は、トラッキング区域更新（Ｔｒａｃｋｉｎｇ  Ａｒｅａ  Ｕｐｄａｔｅ）手順を介してネットワークに端末の該当位置を知らせる。
【００４０】
以下、システム情報（Ｓｙｓｔｅｍ  Ｉｎｆｏｒｍａｔｉｏｎ）に対する説明である。
【００４１】
システム情報は、端末が基地局に接続するために知らなければならない必須情報を含む。従って、端末は、基地局に接続する前にシステム情報の全てを受信しなければならず、また、常に最新システム情報を有していなければならない。また、前記システム情報は、一セル内の全ての端末が知らなければならない情報であるため、基地局は周期的に前記システム情報を送信する。
【００４２】
３ＧＰＰ  ＴＳ  ３６．３３１  Ｖ８．７．０（２００９−０９）“Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  ８）”の５．２．２節によると、前記システム情報は、ＭＩＢ（Ｍａｓｔｅｒ  Ｉｎｆｏｒｍａｔｉｏｎ  Ｂｌｏｃｋ）、ＳＢ（Ｓｃｈｅｄｕｌｉｎｇ  Ｂｌｏｃｋ）、及びＳＩＢ（Ｓｙｓｔｅｍ  Ｉｎｆｏｒｍａｔｉｏｎ  Ｂｌｏｃｋ）に分けられる。ＭＩＢは、端末が該当セルの物理的構成、例えば、帯域幅（Ｂａｎｄｗｉｄｔｈ）などを知ることができるようにする。ＳＢは、ＳＩＢの送信情報、例えば、送信周期などを知らせる。ＳＩＢは、互いに関連あるシステム情報の集合体である。例えば、一つのＳＩＢは、周辺のセルの情報のみを含み、他のＳＩＢは、端末が使用するアップリンク無線チャネルの情報のみを含む。
【００４３】
一般的に、ネットワークが端末に提供するサービスは、以下のように３つのタイプに区分することができる。また、どのようなサービスの提供を受けることができるかによって、端末はセルのタイプも異なるように認識する。以下、サービスタイプを叙述した後、セルのタイプを叙述する。
【００４４】
１）制約的サービス（Ｌｉｍｉｔｅｄ  ｓｅｒｖｉｃｅ）：このサービスは、緊急呼び出し（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、受容可能セル（ａｃｃｅｐｔａｂｌｅ  ｃｅｌｌ）で提供することができる。
【００４５】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｏｒ  ｎｏｒｍａｌｃｅｌｌ）で提供することができる。
【００４６】
３）事業者サービス（Ｏｐｅｒａｔｏｒ  ｓｅｒｖｉｃｅ）：このサービスは、ネットワークサービス業者のためのサービスを意味し、このセルは、ネットワークサービス業者のみが使用することができ、一般ユーザは使用することができない。
【００４７】
セルが提供するサービスタイプと関連して、セルのタイプは、以下のように区分されることができる。
【００４８】
１）受容可能セル（Ａｃｃｅｐｔａｂｌｅ  ｃｅｌｌ）：端末が制限された（Ｌｉｍｉｔｅｄ）サービスの提供を受けることができるセル。このセルは、該当端末立場で、禁止（ｂａｒｒｅｄ）されておらず、端末のセル選択基準を満たすセルである。
【００４９】
２）正規セル（Ｓｕｉｔａｂｌｅ  ｃｅｌｌ）：端末が正規サービスの提供を受けることができるセル。このセルは、受容可能セルの条件を満たし、同時に追加条件を満たす。追加的な条件では、このセルが該当端末が接続することができるＰＬＭＮ所属でなければならず、端末のトラッキング区域（Ｔｒａｃｋｉｎｇ  Ａｒｅａ）更新手順の実行が禁止されないセルでなければならない。該当セルがＣＳＧセルであるとすると、端末がこのセルにＣＳＧメンバーとして接続可能なセルでなければならない。
【００５０】
３）禁止されたセル（Ｂａｒｒｅｄ  ｃｅｌｌ）：セルがシステム情報を介して禁止されたセルという情報をブロードキャストするセルである。
【００５１】
４）予約されたセル（Ｒｅｓｅｒｖｅｄ  ｃｅｌｌ）：セルがシステム情報を介して予約されたセルという情報をブロードキャストするセルである。
【００５２】
図４は、アイドルモードで端末のセル選択過程を示す例示図である。
【００５３】
端末は、サービスを受けようとするＰＬＭＮ（Ｐｕｂｌｉｃ  Ｌａｎｄ  Ｍｏｂｉｌｅ  Ｎｅｔｗｏｒｋ）とＲＡＴ（Ｒａｄｉｏ  Ａｃｃｅｓｓ  Ｔｅｃｈｎｏｌｏｇｙ）を選択する（Ｓ４１０）。ＰＬＭＮとＲＡＴは、端末のユーザが選択をすることもでき、ＵＳＩＭに格納されていることを使用することもできる。
【００５４】
前記端末は、測定した基地局と信号強度や品質が特定値より大きいセルの中から、一番大きい値を有するセルを選択する（Ｓ４２０）。また、前記基地局が周期的に送るシステム情報を受信する。前記特定値は、データ送／受信での物理的信号に対する品質の保証を受けるためにシステムで定義された値を意味する。従って、適用されるＲＡＴによってその値は異なる。
【００５５】
前記端末は、ネットワーク登録が必要の場合、ネットワークからサービス（例：ページング（Ｐａｇｉｎｇ））を受けるために自身の情報（例：ＩＭＳＩ）を登録する（Ｓ４３０、Ｓ４４０）。端末は、セルを選択するたびに接続するネットワークに登録をするものではない。例えば、登録するネットワークのシステム情報（例：トラッキング区域識別子（Ｔｒａｃｋｉｎｇ  Ａｒｅａ  Ｉｄｅｎｔｉｔｙ；ＴＡＩ））と自身が知っているネットワークの情報が異なる場合にネットワークに登録をする。
【００５６】
前記端末は、サービスを受けている前記基地局から測定した信号の強度や品質の値が隣接するセルの基地局から測定した値より低い場合、前記端末が接続した前記基地局のセルよりよい信号特性を提供する他のセルのうち一つを選択する（Ｓ４５０）。この過程を前記ステップＳ４２０の初期セル選択（Ｉｎｉｔｉａｌ  Ｃｅｌｌ  Ｓｅｌｅｃｔｉｏｎ）と区分してセル再選択（Ｃｅｌｌ  Ｒｅｓｅｌｅｃｔｉｏｎ）という。この時、信号特性の変化によって頻繁にセルが再選択されることを防止するために時間的な制約条件をおくこともできる。
【００５７】
以下、端末がセルを選択する手順に対して詳細に説明する。
【００５８】
電源がオンされたり、セル状態のままでいる時、端末は適切な品質のセルを選択／再選択してサービスを受けるための手順を実行する。
【００５９】
ＲＲＣアイドル状態の端末は、常に適切な品質のセルを選択し、このセルを介してサービスの提供を受けるための準備をしなければならない。例えば、電源がオンされた端末は、ネットワークに登録をするために適切な品質のセルを選択しなければならない。ＲＲＣ連結状態にあった前記端末がＲＲＣアイドル状態に進入すると、前記端末は、ＲＲＣアイドル状態のままでいるセルを選択しなければならない。このように、前記端末がＲＲＣアイドル状態のようなサービス待機状態状態のままでいるために、どのような条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態状態のままでいるセルを現在決定することができない状態で実行するため、可能な速かにセルを選択することが何より重要である。従って、一定基準以上の無線信号品質を提供するセルの場合、たとえ、このセルが端末に最もよい無線信号品質を提供するセルでないとしても、端末のセル選択過程で選択されることができる。
【００６０】
以下、３ＧＰＰ  ＴＳ  ３６．３０４  Ｖ８．５．０（２００９−０３）“Ｕｓｅｒ  Ｅｑｕｉｐｍｅｎｔ  （ＵＥ）  ｐｒｏｃｅｄｕｒｅｓ  ｉｎ  ｉｄｌｅ  ｍｏｄｅ（Ｒｅｌｅａｓｅ  ８）”を参照し、３ＧＰＰ  ＬＴＥで端末がセルを選択する方法及び手順に対して詳述する。
【００６１】
端末は、初期に電源がオンされると、使用可能なＰＬＭＮを検索し、サービスを受けることができる適切なＰＬＭＮを選択する。次に、選択したＰＬＭＮが提供するセルの中から前記端末が適切なサービスの提供を受けることができる信号品質と特性を有するセルを選択する。
【００６２】
セル選択過程は、大きく、２つに分けられる。
一つの過程は、初期セル選択過程として、この過程では前記端末が無線チャネルに対する事前情報がない。従って、前記端末は、適切なセルを探すために全ての無線チャネルを検索する。各チャネルで前記端末は最も強いセルを探す。以後、前記端末がセル選択基準を満たす適切な（ｓｕｉｔａｂｌｅ）セルを探すと、該当セルを選択する。
他の過程は、格納された情報を活用するセル選択過程として、この過程では無線チャネルに対して前記端末に格納されている情報を活用したり、セルでブロードキャストしている情報を活用してセル選択をする。従って、初期セル選択過程に比べてセル選択が迅速である。前記端末がセル選択基準を満たすセルを探すと、該当セルを選択する。もし、この過程を介してセル選択基準を満たす適切な（ｓｕｉｔａｂｌｅ）セルを探すことができない場合、前記端末は初期セル選択過程を実行する。
【００６３】
前記セル選択過程で前記端末が使用するセル選択基準は、次の数式１の通りである。
【００６４】
【数１】
0005640097.tif 000002
【００６５】
ここで、Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）＋Ｐｃｏｍｐｅｎｓａｔｉｏｎである。Ｑｒｘｌｅｖｍｅａｓは測定されたセルの受信レベル（ＲＳＲＰ）、Ｑｒｘｌｅｖｍｉｎはセルでの最小必要受信レベル（ｄＢｍ）、ＱｒｘｌｅｖｍｉｎｏｆｆｓｅｔはＱｒｘｌｅｖｍｉｎに対するオフセット（ｏｆｆｓｅｔ）、Ｐｃｏｍｐｅｎｓａｔｉｏｎ＝ｍａｘ（ＰＥＭＡＸ−ＰＵＭＡＸ，０）（ｄＢ）、ＰＥＭＡＸは端末が該当セルで送信してもよい最大送信電力（ｄＢｍ）、ＰＵＭＡＸは端末の性能による端末無線送信部（ＲＦ）の最大送信電力（ｄＢｍ）である。
【００６６】
前記数式１で、端末は、測定した信号の強度と品質がサービスを提供するセルで定めた特定値より大きいセルを選択するということを知ることができる。また、前記数式１で使われるパラメータはシステム情報を介してブロードキャストされ、前記端末はこのパラメータ値を受信してセル選択基準に使用する。
【００６７】
セル選択基準を満たすセルを前記端末が選択すると、前記端末は、該当セルのシステム情報から該当セルで前記端末のＲＲＣアイドル状態動作に必要な情報を受信する。前記端末がＲＲＣアイドル状態動作に必要な全ての情報を受信した後、ネットワークにサービスを要求（例：Ｏｒｉｇｉｎａｔｉｎｇ  Ｃａｌｌ）したり、ネットワークからサービス（例：Ｔｅｒｍｉｎａｔｉｎｇ  Ｃａｌｌ）を受けるためにアイドルモードで待機する。
【００６８】
前記端末がセル選択過程を介してあるセルを選択した以後、端末の移動性または無線環境の変化などにより端末と基地局との間の信号の強度や品質が変わることができる。従って、もし、選択したセルの品質が低下される場合、端末は一層よい品質を提供する他のセルを選択することができる。このようにセルを再選択する場合、一般的に現在選択されたセルよりよい信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最もよい品質を提供するセルを選択することに基本的な目的がある。
【００６９】
無線信号の品質観点以外に、ネットワークは、周波数別に優先順位を決定して端末に知らせることができる。このような優先順位を受信した端末は、セル再選択過程でこの優先順位を無線信号品質基準より優先的に考慮するようになる。
【００７０】
前記のように無線環境の信号特性によってセルを選択または再選択する方法があり、セル再選択において、再選択のためのセルを選択する時、セルのＲＡＴと周波数（ｆｒｅｑｕｅｎｃｙ）特性によって次のようなセル再選択方法がある。
【００７１】
−Ｉｎｔｒａ−ｆｒｅｑｕｅｎｃｙセル再選択：端末がキャンプ（ｃａｍｐ）中であるセルと同じＲＡＴ及び同じ中心周波数（ｃｅｎｔｅｒ−ｆｒｅｑｕｅｎｃｙ）を有するセルを再選択
−Ｉｎｔｅｒ−ｆｒｅｑｕｅｎｃｙセル再選択：端末がキャンプ中であるセルと同じＲＡＴと異なる中心周波数を有するセルを再選択
−Ｉｎｔｅｒ−ＲＡＴセル再選択：端末がキャンプ中であるＲＡＴと異なるＲＡＴを使用するセルを再選択
セル再選択過程の原則は、次の通りである。
【００７２】
第一、端末は、セル再選択のためにサービングセル（ｓｅｒｖｉｎｇ  ｃｅｌｌ）及び周辺セル（ｎｅｉｇｈｂｏｒｉｎｇ  ｃｅｌｌ）の品質を測定する。
【００７３】
第二、セル再選択は、セル再選択基準に基づいて実行される。セル再選択基準は、サービングセル及び周辺セル測定に関連して以下のような特性を有している。
【００７４】
Ｉｎｔｒａ−ｆｒｅｑｕｅｎｃｙセル再選択は、基本的にランキング（ｒａｎｋｉｎｇ）に基づく。ランキングとは、セル再選択評価のための指標値を定義し、この指標値を用いてセルを指標値の大きさ順に順序を定める作業である。最もよい指標を有するセルを一般的にｂｅｓｔ  ｒａｎｋｅｄ  ｃｅｌｌと呼ぶ。セル指標値は、端末が該当セルに対して測定した値を基本であり、必要によって周波数オフセットまたはセルオフセットを適用した値である。
【００７５】
Ｉｎｔｅｒ−ｆｒｅｑｕｅｎｃｙセル再選択は、ネットワークにより提供された周波数優先順位に基づく。端末は、最も高い周波数優先順位を有する周波数状態のままでいる（ｃａｍｐ  ｏｎ）ように試みる。ネットワークは、ブロードキャストシグナリング（ｂｒｏａｄｃａｓｔ  ｓｉｇｎｌｉｎｇ）を介してセル内の端末が共通的に適用するまたは周波数優先順位を提供したり、端末別シグナリング（ｄｅｄｉｃａｔｅｄ  ｓｉｇｎａｌｉｎｇ）を介して端末別に各々周波数別優先順位を提供することができる。
【００７６】
Ｉｎｔｅｒ−ｆｒｅｑｕｅｎｃｙセル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００７７】
Ｉｎｔｒａ−ｆｒｅｑｕｅｎｃｙセル再選択またはｉｎｔｅｒ−ｆｒｅｑｕｅｎｃｙセル再選択のために、ネットワークは、端末にセル再選択に使われる周辺セルリスト（Ｎｅｉｇｈｂｏｕｒｉｎｇ  Ｃｅｌｌ  Ｌｉｓｔ；ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００７８】
Ｉｎｔｒａ−ｆｒｅｑｕｅｎｃｙまたはｉｎｔｅｒ−ｆｒｅｑｕｅｎｃｙセル再選択のために、ネットワークは、端末にセル再選択に使われるセル再選択禁止リスト（ｂｌａｃｋ  ｌｉｓｔ）を端末に提供することができる。禁止リストに含まれたセルに対し、端末は、セル再選択を実行しない。
【００７９】
次に、セル再選択評価過程で実行するランキングに対して説明する。
【００８０】
セルの優先順位を定める時に使われるランキング指標（ｒａｎｋｉｎｇ  ｃｒｉｔｅｒｉｏｎ）は、数式２のように定義される。
【００８１】
【数２】
0005640097.tif 000003
【００８２】
ここで、Ｒｓはサービングセルのランキング指標、Ｒｎは周辺セルのランキング指標、Ｑｍｅａｓ，ｓは端末がサービングセルに対して測定した品質値、Ｑｍｅａｓ，ｎは端末が周辺セルに対して測定した品質値、Ｑｈｙｓｔはランキングのためのヒステリシス（ｈｙｓｔｅｒｅｓｉｓ）値、Ｑｏｆｆｓｅｔは２つのセル間のオフセットである。
【００８３】
Ｉｎｔｒａ−ｆｒｅｑｕｅｎｃｙで、端末がサービングセルと周辺セルとの間のオフセット（Ｑｏｆｆｓｅｔｓ，ｎ）を受信した場合、Ｑｆｆｏｓｅｔ＝Ｑｏｆｆｓｅｔｓ，ｎであり、端末がＱｏｆｆｓｅｔｓ，ｎを受信しない場合、Ｑｏｆｆｓｅｔ＝０である。
【００８４】
Ｉｎｔｅｒ−ｆｒｅｑｕｅｎｃｙで、端末が該当セルに対するオフセット（Ｑｏｆｆｓｅｔｓ，ｎ）を受信した場合、Ｑｏｆｆｓｅｔ＝Ｑｏｆｆｓｅｔｓ，ｎ＋Ｑｆｒｅｑｕｅｎｃｙであり、端末がＱｏｆｆｓｅｔｓ，ｎを受信しない場合、Ｑｏｆｆｓｅｔ＝Ｑｆｒｅｑｕｅｎｃｙである。
【００８５】
サービングセルのランキング指標（Ｒｓ）と周辺セルのランキング指標（Ｒｎ）が互いに類似する状態で変動すると、変動結果ランキング順位が頻繁に変わって端末が２つのセルを交互に再選択をすることができる。Ｑｈｙｓｔは、セル再選択でヒステリシスを与え、端末が２つのセルを交互に再選択することを防止するためのパラメータである。
【００８６】
端末は、前記式によってサービングセルのＲｓ及び周辺セルのＲｎを測定し、ランキング指標値が一番大きい値を有するセルをｂｅｓｔ  ｒａｎｋｅｄセルと見なし、このセルを再選択する。
【００８７】
前記基準によると、セルの品質がセル再選択から最も主要な基準として作用することを確認することができる。もし、再選択したセルが正規セル（ｓｕｉｔａｂｌｅ  ｃｅｌｌ）でない場合、端末は該当周波数または該当セルをセル再選択対象から除外する。
【００８８】
図５は、ＲＲＣ連結を確立する過程を示す流れ図である。
【００８９】
端末はＲＲＣ連結を要求するＲＲＣ連結要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ連結要求に対する応答としてＲＲＣ連結セットアップ（ＲＲＣ  Ｃｏｎｎｅｃｔｉｏｎ  Ｓｅｔｕｐ）メッセージを送る（Ｓ５２０）。ＲＣ連結セットアップメッセージを受信した後、端末は、ＲＲＣ連結モードに進入する。
【００９０】
端末は、ＲＲＣ連結確立の成功的な完了を確認するために使われるＲＲＣ連結セットアップ完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００９１】
ＲＲＣ連結再確立もＲＲＣ連結確立と同様に実行される。ＲＲＣ連結再確立は、ＲＲＣ連結を再確立することであり、ＳＲＢ１動作の再開始、セキュリティの再活性化、ＰＣｅｌｌ（Ｐｒｉｍａｒｙ  Ｃｅｌｌ）の設定と関連する。端末は、ＲＲＣ連結再確立を要求するＲＲＣ連結再確立要求（ＲＲＣ  Ｃｏｎｎｅｃｔｉｏｎ  Ｒｅｅｓｔａｂｌｉｓｈｍｅｎｔ  Ｒｅｑｕｅｓｔ）メッセージをネットワークに送る。ネットワークは、ＲＲＣ連結再確立要求に対する応答としてＲＲＣ連結再確立メッセージを送る。端末は、ＲＲＣ連結再確立に対する応答としてＲＲＣ連結再確立完了メッセージを送る。
【００９２】
図６は、ＲＲＣ連結再設定過程を示す流れ図である。ＲＲＣ連結再設定（ｒｅｃｏｎｆｉｇｕｒａｔｉｏｎ）はＲＲＣ連結の修正に使われる。これはＲＢ確立／修正（ｍｏｄｉｆｙ）／解除（ｒｅｌｅａｓｅ）、ハンドオーバ実行、測定セットアップ／修正／解除するために使われる。
【００９３】
ネットワークは、端末にＲＲＣ連結を修正するためのＲＲＣ連結再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ連結再設定に対する応答として、ＲＲＣ連結再設定の成功的な完了を確認するために使われるＲＲＣ連結再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００９４】
図７は、端末情報を報告する過程を示す流れ図である。
【００９５】
ネットワークは、端末に端末情報を獲得するための端末情報要求（ＵＥ  Ｉｎｆｏｒｍａｔｉｏｎ  Ｒｅｑｕｅｓｔ）メッセージを送る（Ｓ７１０）。端末情報要求メッセージは、端末がランダムアクセス過程及び／または無線リンク失敗（ｒａｄｉｏｌｉｎｋ  ｆａｉｌｕｒｅ）に対する情報を報告するか否かを指示するフィールドを含む。端末情報要求メッセージは、端末がログされた測定（ｌｏｇｇｅｄ  ｍｅａｓｕｒｅｍｅｎｔ）を報告するか否かを指示するフィールドを含む。
【００９６】
端末は、端末情報要求により要求された情報を含む端末情報応答（ＵＥ  Ｉｎｆｏｒｍａｔｉｏｎ  Ｒｅｓｐｏｎｓｅ）メッセージをネットワークに送る（Ｓ７２０）。
【００９７】
以下、ＭＤＴ（Ｍｉｎｉｍｉｚａｔｉｏｎ  ｏｆ  Ｄｒｉｖｉｎｇ  Ｔｅｓｔｓ）に対して説明する。
【００９８】
ＭＤＴは、カバレッジ最適化（ｃｏｖｅｒａｇｅ  ｏｐｔｉｍｉｚａｔｉｏｎ）のために事業者が自動車の代わりに端末を用いてテストすることである。カバレッジは、基地局の位置、周辺建物の配置、及びユーザの利用環境によって変わる。従って、事業者は、周期的にドライビングテスト（ｄｒｉｖｉｎｇ  ｔｅｓｔ）をすることが必要であり、多くの費用とリソースが所要される。ＭＤＴは、事業者が端末を用いてカバレッジを測定することである。
【００９９】
ＭＤＴは、ログされた（ｌｏｇｇｅｄ）ＭＤＴと即時（Ｉｍｍｅｄｉａｔｅ）ＭＤＴとに分けることができる。ログされたＭＤＴによると、端末がＭＤＴ測定を実行した後、ログされた測定（ｌｏｇｇｅｄ  ｍｅａｓｕｒｅｍｅｎｔ）を特定時点にネットワークに伝達する。即時ＭＤＴによると、端末は、ＭＤＴ測定を実行した後、報告条件が満たされる時に測定をネットワークに伝達する。ログされたＭＤＴは、ＲＲＣアイドルモードでＭＤＴ測定を実行するが、即時ＭＤＴは、ＲＲＣ連結モードでＭＤＴ測定を実行する。
【０１００】
図８は、ＭＤＴを実行する過程を示す。
【０１０１】
ＭＤＴは、ＭＤＴ設定（ｃｏｎｆｉｇｕｒａｔｉｏｎ）８１０、ＭＤＴ測定（ｍｅａｓｕｒｅｍｅｎｔ）８２０、及びＭＤＴ報告（ｒｅｐｏｒｔ）８３０の順に進行される。
【０１０２】
ＭＤＴ設定は、ＲＲＣメッセージであるログされた測定設定（ｌｏｇｇｅｄ  ｍｅａｓｕｒｅｍｅｎｔ  ｃｏｎｆｉｇｕｒａｔｉｏｎ）メッセージを介してネットワークから端末に送信されることができる。端末は、ＲＲＣ連結モードでＭＤＴ設定を受信することができる。ＲＲＣモードがＲＲＣアイドルモードに転換（ｔｒａｎｓｉｔｉｏｎ）されてもＭＤＴ設定は維持され、これによってＭＤＴ測定結果も維持される。
【０１０３】
ＭＤＴ設定は、ロギング周期（ｌｏｇｇｉｎｇ  ｉｎｔｅｒｖａｌ）、基準時間（ｒｅｆｅｒｅｎｃｅ  ｔｉｍｅ）、領域設定（ａｒｅａ  ｃｏｎｆｉｇｕｒａｔｉｏｎ）のうち少なくともいずれか一つを含むことができる。ロギング周期は、測定結果を格納するための周期（ｐｅｒｉｏｄｉｃｉｔｙ）を意味する。基準時間は、端末がログされた測定を送る時、基準時間として知らせるために使われる。領域設定は、端末がロギング（ｌｏｇｇｉｎｇ）を実行するように要求される領域を意味する。
【０１０４】
ＭＤＴ設定に基づき、端末は、ＭＤＴ測定を実行する。例えば、ＭＤＴ設定内のロギング周期毎にＭＤＴ測定を実行することである。
【０１０５】
測定値は、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、ＲＳＣＰ（ｒｅｃｅｉｖｅｄ  ｓｉｇｎａｌ  ｃｏｄｅ  ｐｏｗｅｒ）、Ｅｃ／Ｎｏのような当業者によく知られた値が使われることができる。
【０１０６】
端末は、ＲＲＣ連結モードでログされた測定をネットワークに送る。ログされたＭＤＴで、端末は、ＲＲＣアイドルモードで測定をログする。また、再びＲＲＣ連結モードに進入した端末は、ログされた測定をネットワークに送る。
【０１０７】
ログされた測定は、可用なサービングセル測定の測定結果、可用な周辺セル測定の測定結果、時間情報及び位置情報（ｌｏｃａｔｉｏｎ  ｉｎｆｏｒｍａｔｉｏｎ）のうち少なくともいずれか一つを含むことができる。
【０１０８】
ＭＤＴ報告のために、図７の端末情報報告過程が使われることができる。ネットワークは、端末にログされた測定の報告を指示するフィールドを含む情報要求を送る。端末は、ログされた測定を含む情報応答をネットワークに送る。
端末がＭＤＴをサポートしないサービングセルにハンドオーバを実行した場合、以前に使用したＭＤＴ設定（ｃｏｎｆｉｇｕｒａｔｉｏｎ）をそのまま用いてＭＤＴ測定を実行し続けることができる。然しながら、サービングセルが変更された時、ＭＤＴ設定を更新せずにＭＤＴ測定を実行し続けることは非効率的である。
【０１０９】
図９は、端末がＭＤＴをサポートしないセルにハンドオーバするシナリオを示す。
【０１１０】
セル１は、現在サービングセルであり、ＭＤＴをサポートする。端末は、セル１からＭＤＴ設定を実行する。
【０１１１】
端末がセル１からセル２にハンドオーバを実行し、セル２がサービングセルになるが、セル２はＭＤＴをサポートしない。従って、端末は、ログされた測定をセル２に送ることができず、また、セル２からＭＤＴ設定を受信することができない。以後、端末がＭＤＴをサポートするセル３にハンドオーバを実行すると、端末は、セル３にログされたＭＤＴ測定を報告することができる。
【０１１２】
端末がセル２にずっとある場合、端末は、セル１から受信したＭＤＴ設定に基づいてＭＤＴ測定を実行し続けることができる。この時、事業者は、ＭＤＴ測定が不必要であるにもかかわらず、端末にＭＤＴ測定を中断する命令を送ることができず、端末は意味のないＭＤＴロギングを続けるようになる。不必要なＭＤＴ測定のため端末のバッテリが消耗される。また、端末が不必要なログされた測定をメモリに格納し続ける結果となる。
【０１１３】
図１０は、本発明の一実施例に係るログされた測定を報告する方法を示す流れ図である。
【０１１４】
端末は、ネットワークからＭＤＴ設定を受信する（Ｓ１０１０）。端末は、サービングセルとＲＲＣ連結が確立されているＲＲＣ連結モード（ＲＲＣ  ｃｏｎｎｅｃｔｅｄ  ｍｏｄｅ）である。ＭＤＴ設定は、ロギング周期（ｌｏｇｇｉｎｇ  ｉｎｔｅｒｖａｌ）、基準時間（ｒｅｆｅｒｅｎｃｅ  ｔｉｍｅ）、及び領域設定（ａｒｅａ  ｃｏｎｆｉｇｕｒａｔｉｏｎ）のうち少なくともいずれか一つを含むことができる。
【０１１５】
ＭＤＴ設定を受信し、端末は、有効性タイマ（ｖａｌｉｄｉｔｙ  ｔｉｍｅｒ）を開始する（Ｓ１０２０）。有効性タイマは、ＭＤＴ設定の寿命（ｌｉｆｅｔｉｍｅ）を示す。
【０１１６】
端末は、ＲＲＣアイドルモードに転換し、有効性タイマが動作中、ＭＤＴ設定に基づいて測定をロギング（ｌｏｇｇｉｎｇ）する（Ｓ１０３０）。
有効性タイマが満了されると、端末は、ＭＤＴ設定を廃棄する（ｄｉｓｃａｒｄ）（Ｓ１０４０）。端末は、ＭＤＴ設定を除去し、ＭＤＴ測定を中断する。
【０１１７】
有効性タイマの値は、多様な方法で定義されることができる。
【０１１８】
第１の実施例で、基地局と端末との間に有効性タイマの値が予め定義されることができる。
【０１１９】
第２の実施例で、基地局は、端末に有効性タイマの値を知らせることができる。有効性タイマの値は、ＭＤＴ設定に含まれることができる。この値をロギング区間（ｌｏｇｇｉｎｇ  ｄｕｒａｔｉｏｎ）という。端末がＭＤＴ設定を受信すると、端末は、有効性タイマの値をロギング区間にセッティングし、有効性タイマを開始する。
【０１２０】
第３の実施例で、端末は、メモリの大きさに基づいて有効性タイマの値を決定することができる。メモリの大きさが大きいほど、有効性タイマの値を大きく設定することができる。基地局は、メモリ大きさの閾値（ｔｈｒｅｓｈｏｌｄ）を端末に知らせることができる。閾値は、端末が設定することができる有効性タイマの最大値及び／または最小値を示すことができる。
【０１２１】
新たなＭＤＴ設定が受信されると、新たなＭＤＴ設定に更新され、有効性タイマも再開始する。また、以前に設定されたＭＤＴ設定によってログされたＭＤＴ測定も廃棄される。
【０１２２】
有効性タイマが満了される時、ＭＤＴ設定だけでなく、ログされた測定も廃棄されることができる。
【０１２３】
または（ａｌｔｅｒｎａｔｉｖｅｌｙ）、有効性タイマが満了される時、ＭＤＴ設定は廃棄されるが、ログされた測定は維持されることができる。
【０１２４】
図１１は、本発明の一実施例に係るログされた測定を報告する方法を示す流れ図である。これはログされた測定が維持される時、ログされた測定を報告する方法を示す。
【０１２５】
端末は、ネットワークからＭＤＴ設定を受信する（Ｓ１１１０）。端末は、サービングセルとＲＲＣ連結が確立されているＲＲＣ連結モードである。
【０１２６】
ＭＤＴ設定を受信し、端末は有効性タイマを開始する（Ｓ１１２０）。
【０１２７】
端末は、ＲＲＣアイドルモードに転換し、有効性タイマが動作中、ＭＤＴ設定に基づいて測定をロギング（ｌｏｇｇｉｎｇ）する（Ｓ１１３０）。
【０１２８】
端末は、基地局とＲＲＣ連結を確立または再確立してＲＲＣ連結モードに進入する（Ｓ１１４０）。ＲＲＣ連結モードに進入する前に有効性タイマが満了されると、端末はＭＤＴ設定を廃棄し、ログされた測定は維持する。端末は、ＭＤＴ設定を除去し、これ以上ＭＤＴ測定を実行しない。または、ＲＲＣ連結モードに進入する時、有効性タイマが動作の中であることもある。
【０１２９】
端末がＲＲＣアイドルモードからＲＲＣ連結モードに転換することによって、ロギング指示子をネットワークに送る（Ｓ１１４５）。ロギング指示子は、ログされた測定の可用性（ａｖａｉｌａｂｉｌｉｔｙ）を指示する指示子である。端末は、アイドルモードでＭＤＴ測定を実行し、連結モードに進入し、ログされた測定があるか否かをネットワークに知らせる。
【０１３０】
端末は、ＲＲＣ連結が確立されたり、ＲＲＣ連結が再確立（ｒｅ−ｅｓｔａｂｌｉｓｈ）されたり、ＲＲＣ連結が再設定（ｒｅｃｏｎｆｉｇｕｒａｔｉｏｎ）される時、ロギング指示子をネットワークに送ることができる。例えば、図５のＲＲＣ連結過程が実行される時、ロギング指示子は、ＲＲＣ連結セットアップ完了メッセージに含まれることができる。図６のＲＲＣ連結再設定過程が実行される時、ロギング指示子は、ＲＲＣ連結再設定完了メッセージに含まれることができる。
【０１３１】
ロギング指示子に基づいてログされた測定があることを知ったネットワークは、ログされた測定の報告を要求する情報要求を端末に送る（Ｓ１１５０）。端末は、ログされた測定を含む情報応答をネットワークに送る（Ｓ１１６０）。
【０１３２】
有効性タイマが満了されると、ＭＤＴ設定は除去されるが、ログされた測定は維持される。ネットワークがＭＤＴをサポートしない、或いは過負荷されたネットワークである時、端末は、ログされた測定をメモリに長期間保管するようになる。ログされた測定による端末のメモリ管理に影響を与えることができる。
【０１３３】
図１２は、本発明の一実施例に係るログされた測定を報告する方法を示す流れ図である。
【０１３４】
端末は、ネットワークからＭＤＴ設定を受信する（Ｓ１２１０）。ＭＤＴ設定を受信し、端末は、有効性タイマを開始する（Ｓ１２２０）。端末は、ＲＲＣアイドルモードに転換し、有効性タイマが動作中、ＭＤＴ設定に基づいて測定をロギング（ｌｏｇｇｉｎｇ）する（Ｓ１２３０）。
【０１３５】
有効性タイマが満了されると、端末はＭＤＴ設定を廃棄し、ログされた測定は維持する（Ｓ１２４０）。端末は、ＭＤＴ設定を除去し、これ以上ＭＤＴ測定を実行しない。
【０１３６】
端末は、ネットワークとＲＲＣ連結を確立したり、ＲＲＣ連結を再確立（ｒｅ−ｅｓｔａｂｌｉｓｈ）したり、ＲＲＣ連結を再設定（ｒｅｃｏｎｆｉｇｕｒａｔｉｏｎ）する（Ｓ１２５０）。ＲＲＣ連結が確立される時、ロギング指示子がネットワークに送信されることができる。
【０１３７】
ＲＲＣ連結が解除される時、端末は、ログされた測定を廃棄する（Ｓ１２６０）。端末は、新たなＲＲＣ連結が解除される時までログされた測定を維持する。ＭＤＴ設定は、ＲＲＣアイドルモードで廃棄されることができるが、ログされた測定は、新たなＲＲＣ連結が確立され、以後解除される時まで維持される。
【０１３８】
端末がネットワークにログされた測定の可用性を知らせる時、ＭＤＴログが報告することができる最後の機会であるか否かを知らせることができる。有効性タイマが満了されてＭＤＴ設定は廃棄され、新たなＭＤＴ設定は更新されない時、端末は、現在保管中であるＭＤＴログがあり、すぐに廃棄されることをネットワークに知らせることができる。これは、次の表のような２ビットのロギング指示子を用いて知らせることができる。
【０１３９】
【表１】
0005640097.tif 000004
【０１４０】
ビット表現は、例示に過ぎず、制限ではない。
【０１４１】
ロギング指示子は、ログされた測定の可否のみを示し、ログされた測定が報告されることができる最後の機会であることを示す別途の指示子がロギング指示子と共にまたは別途にネットワークに送信されることができる。
【０１４２】
図１３は、本発明の実施例が具現される無線装置を示すブロック図である。この装置は図１０乃至図１２の実施例で端末の動作を具現する。
【０１４３】
端末５０は、プロセッサ５１、メモリ５２、及びＲＦ部（ｒａｄｉｏ  ｆｒｅｑｕｅｎｃｙｕｎｉｔ）５３を含む。プロセッサ５１は、提案された機能、過程及び／または方法を具現する。プロセッサ５１は、ＲＲＣ連結モードとＲＲＣアイドルモードとの間を転換し、ＭＤＴ設定に基づいてログされたＭＤＴを測定する。メモリ５２は、プロセッサ５１と連結され、ＭＤＴ設定とログされた測定を格納する。前述した図１０乃至図１２の実施例は、プロセッサ５１とメモリ５２により具現されることができる。
【０１４４】
ＲＦ部５３は、プロセッサ５１と連結され、無線信号を送信及び受信する。
【０１４５】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１４６】
前述した例示的なシステムで、方法は、一連のステップまたはブロックで順序図に基づいて説明されているが、本発明は、ステップの順序に限定されるものではなく、あるステップは、前述と異なるステップと異なる順序にまたは同時に発生することができる。また、当業者であれば、順序図に示すステップが排他的ではなく、他のステップが含まれたり、順序図の一つまたはその以上のステップが本発明の範囲に影響を及ぼさずに削除可能であることを理解することができる。
【図１】
0005640097.tif 000005
【図２】
0005640097.tif 000006
【図３】
0005640097.tif 000007
【図４】
0005640097.tif 000008
【図５】
0005640097.tif 000009
【図６】
0005640097.tif 000010
【図７】
0005640097.tif 000011
【図８】
0005640097.tif 000012
【図９】
0005640097.tif 000013
【図１０】
0005640097.tif 000014
【図１１】
0005640097.tif 000015
【図１２】
0005640097.tif 000016
【図１３】
0005640097.tif 000017